(57)【要約】【課題】カム部材の表面全体に膜厚の十分な皮膜を形成して摩耗量と処理コストの低減化を図り得る動弁装置を提供する。【解決手段】駆動軸に設けられた駆動カムの回転力を、揺動運動に変換する伝達機構によって揺動して吸気弁を開閉作動させるカム部材４を備えている。このカム部材は、駆動軸に支持孔９ａを介して揺動自在に支持され、かつジャーナル部９ｂが軸受部によって回転自在に支持された揺動軸９と、該揺動軸の軸方向両端部に一体に設けられて、前記一対の吸気弁をバルブリフターを介して開閉作動する２つの揺動カム１０，１０とからなり、表面全体に表面処理によりリン酸マンガン皮膜３４を施した。また、前記皮膜の膜厚を１μｍ〜５μｍの範囲内に設定すると共に、駆動軸の外周面と前記支持孔の内周面との間のクリアランスを２５μｍ〜６５μｍの範囲内に設定した。【選択図】図４
2009047049.tif 000002
【特許請求の範囲】
【請求項１】
機関本体に支持されたシャフトと、
内部に挿通された前記シャフトに揺動自在に支持されると共に、外周が軸受部に揺動自在に支持され、揺動することによって機関弁を開閉作動させるカム部材と、を備え、
前記カム部材のみに摺動性を向上させる表面処理を施し、
該表面処理を少なくとも前記シャフトが回転摺動する内周面と前記軸受部に摺動する外周面に施したことを特徴とする内燃機関の動弁装置。
【請求項２】
請求項１に記載の内燃機関の動弁装置において、
前記カム部材の全体に前記表面処理を施したことを特徴とする内燃機関の動弁装置。
【請求項３】
請求項１または２に記載の内燃機関の動弁装置において、
前記カム部材の表面処理による膜厚を１μｍ〜５μｍの範囲内に形成すると共に、前記表面処理した内周面と前記シャフトの外周面との間のクリアランスを２５μｍ〜６５μｍの範囲内に設定したことを特徴とする内燃機関の動弁装置。
【請求項４】
請求項３に記載の内燃機関の動弁装置において、
前記カム部材は、前記シャフトが内部に回転自在に挿通された揺動軸と、該揺動軸の外周に互いに軸方向へ離間した位置に設けられ、一対の前記機関弁を開閉作動させる一対の揺動カムとから構成したことを特徴とする内燃機関の動弁装置。
【請求項５】
請求項４に記載の内燃機関の動弁装置において、
前記カム部材は、前記一方の揺動カムに揺動力が作用して揺動軸に傾動方向に力が作用することを特徴とする内燃機関の動弁装置。
【請求項６】
クランクシャフトから回転力が伝達され、外周に駆動カムが設けられたシャフトと、
内部に挿通された前記シャフトに揺動自在に支持されると共に、外周が軸受部に揺動自在に支持され、揺動することによって機関弁を開閉作動させるカム部材と、
前記駆動カムの回転運動を揺動運動に変換して前記カム部材に伝達する伝達機構と、
該伝達機構の姿勢を変化させることにより前記カム部材の揺動状態を変化させて機関弁の作動状態を可変にする可変機構と、を備え、
前記カム部材は、前記シャフト及び軸受部よりも耐摩耗性が大きいことを特徴とする内燃機関の動弁装置。
【請求項７】
請求項６に記載の内燃機関の動弁装置において、
前記シャフトとカム部材との間のクリアランスを、前記軸受部とカム部材との間のクリアランスよりも小さく設定すると共に、前記シャフトを前記軸受部よりも硬度が高い材料によって形成したことを特徴とする内燃機関の動弁装置。
【請求項８】
シャフトの外周面と該シャフトが挿通される挿通孔の内周面との間のクリアランスが２５μｍ〜６５μｍの範囲内に設定され、機関本体に設けられた軸受部の内周面と該内周面に軸受される外周面との間のクリアランスが６５μｍ以上に設定され、揺動運動によって機関弁を開閉作動させる内燃機関のカム部材であって、
前記カム部材の少なくとも前記シャフトが挿通する前記挿通孔の内周面と前記軸受部の内周面に摺動する前記外周面に表面処理を施し、該表面処理による皮膜の膜厚を１μｍ〜５μｍの範囲内に設定したことを特徴とする内燃機関のカム部材。
【発明の詳細な説明】
【技術分野】
【０００１】
本発明は、例えば吸気弁や排気弁のバルブリフト量を機関運転状態に応じて変更可能な内燃機関の動弁装置及びこの動弁装置に用いられるカム部材に関する。
【背景技術】
【０００２】
従来の内燃機関の動弁装置としては、以下の特許文献１に記載されたものがある。
【０００３】
概略を説明すれば、この動弁装置は、吸気弁側に適用されたもので、クランクシャフトの回転に同期して回転する駆動軸の外周に、軸心が前記駆動軸の軸心から偏心した駆動カムが設けられていると共に、該駆動カムの回転力が多節リンク式の伝達機構を介して伝達されて、吸気弁の上端部に有するバルブリフターの上面をカム面が摺接して吸気弁をバルブスプリングのばね力に抗して開作動させるカム部材を有している。
【０００４】
前記カム部材は、前記駆動軸の外周に揺動自在に支持された円筒状の揺動軸と、該揺動軸の軸方向の両端部外周に一体に設けられて、前記各カム面を介して各吸気弁を開閉作動する揺動カムとから構成されており、前記揺動軸は軸方向の外周面ほぼ中央位置に形成されたジャーナル部を介してシリンダヘッド上の軸受部に回転自在に支持されている。
【０００５】
そして、機関運転状態に応じてアクチュエータにより制御軸を介して制御カムの回動角度を変化させることにより、伝達機構のロッカアームの姿勢変化に伴い前記各揺動カムのバルブリフターの上面に対する当接位置を変化させて、各吸気弁のバルブリフト量を機関運転状態に応じて可変制御するようになっている。
【特許文献１】特開２００４−６０６３５号公報
【発明の開示】
【発明が解決しようとする課題】
【０００６】
しかしながら、前記カム部材は、揺動軸の内周面が駆動軸の外周面と常に摺動状態にあり、また、外周面が軸受部に常に摺動自在に軸受けされていることから、各摺動部間で油膜切れが起こりやすく、該各摺動部での経時的な摩耗が発生するおそれがある。
【課題を解決するための手段】
【０００７】
本発明は、前記従来の技術的課題に鑑みて案出されたもので、機関本体に支持されたシャフトと、内部に挿通された前記シャフトに揺動自在に支持されると共に、外周が軸受部に揺動自在に支持され、揺動することによって機関弁を開閉作動させるカム部材と、を備え、前記カム部材のみに摺動性を向上させる表面処理を施し、該表面処理を少なくとも前記シャフトが回転摺動する内周面と前記軸受部に摺動する外周面に施したことを特徴としている。
【０００８】
この発明によれば、カム部材のみに表面処理を施し、前記シャフトや軸受部には表面処理を施さないことから、各摺動部の摩耗量を低減できると共に、表面処理コストの低減化と処理作業の能率化が図れる。
【発明を実施するための最良の形態】
【０００９】
以下、本発明に係るカム部材が適用された内燃機関の動弁装置の実施の形態を図面に基づいて詳述する。この実施の形態では、６気筒内燃機関の一方バンクの吸気側に適用したものであって、１気筒当たり２つの吸気弁を備え、かつ吸気弁のバルリフト量を機関運転状態に応じて可変にする可変機構を備えている。
【００１０】
すなわち、前記動弁装置は、図１及び図２に示すように、機関本体であるシリンダヘッド１に図外のバルブガイドを介して摺動自在に設けられた１気筒当たり２つの吸気弁２，２と、機関前後方向に配置された内部中空状のシャフトである駆動軸３と、気筒毎に配置されて、各吸気弁２，２の上端部に配設されたバルブリフター６，６に摺接して各吸気弁２，２を開作動させるカム部材４と、前記駆動軸３の所定位置(気筒毎)に一体的に固定された駆動カム５と、該駆動カム５とカム部材４との間に配置されて、前記駆動カム５の回転力をカム部材４の揺動力（開弁力）として伝達する伝達機構７と、該伝達機構７の作動位置を可変にする制御機構８と、を備えている。
【００１１】
前記吸気弁２，２は、シリンダヘッドの上端部に形成されたボアの底部とバルブステム上端部のスプリングリテーナとの間に弾装されたバルブスプリング１２，１２によって閉方向に付勢されている。
【００１２】
前記駆動軸３は、図１及び図２にも示すように、機関前後方向に沿って配置されて、内部軸方向にメインオイルギャラリーと連通する油通路３ａが形成されていると共に、各気筒間に対応した位置に図外の支持孔が径方向に沿って貫通形成されている。また、駆動軸３は、図２及び図３に示すように、軸方向の両端部がシリンダヘッド１の上部に設けられたキャリア１ａと軸受ブラケット１１ａとによって構成された軸受１１によって回転自在に軸支されていると共に、一端部に設けられた図外の従動スプロケットや該従動スプロケットに巻装されたタイミングチェーン等を介して機関のクランクシャフトから回転力が伝達されている。
【００１３】
前記カム部材４は、図１〜図４などに示すように、駆動軸３の外周面に揺動自在に支持された円筒状の揺動軸９と、該揺動軸９の軸方向の両端部に一体に設けられた揺動カム１０，１０とから構成されており、後述する成形工程によって一体に成形されかつ表面処理が施されるようになっている。
【００１４】
前記揺動軸９は、内部に前記駆動軸３が挿通する支持孔９ａを有すると共に、外周面のほぼ中央位置、つまり両揺動カム１０、１０の間に大径円筒状のジャーナル部９ｂが形成されている。このジャーナル部９ｂは、図２及び図３に示すように、シリンダヘッド１の上部に設けられたシリンダヘッドの上面に設けられたキャリア１ａと軸受ブラケット３１ａとから構成された軸受部３１によって回転自在に支持されている。したがって、前記各揺動軸９を介して前記駆動軸３が前記各軸受部３１に回転自在に支持される形になる。なお、ジャーナル部９ｂのほぼ中央位置には、前記駆動軸３の油通路３ａと適宜連通する油孔９ｃが径方向に沿って形成されている。
【００１５】
一方、前記各揺動カム１０，１０は、同一形状のほぼ雨滴状を呈し、基端部側が揺動軸９を介して前記駆動軸３の軸心を中心として揺動するようになっていると共に、それぞれの下面には、各バルブリフター６の上面所定位置に当接するカム面１０ａがそれぞれ形成されており、また、一方の揺動カム１０の先端側のカムノーズ部にピン孔が巾方向から貫通形成されている。
【００１６】
前記駆動カム５は、ほぼ円盤状に形成されたカム本体５ａの外周面５ｃが偏心円のカムプロフィールに形成されて、軸心が駆動軸３の軸心から径方向へ所定量だけオフセットしていると共に、該カム本体５ａの一側部軸方向に一体に設けられた筒状部５ｂが径方向に形成された図外の固定用孔に圧入された固定用ピンによって駆動軸３に固定されている。また、この駆動カム５は、焼結合金材によって一体に形成されている。
【００１７】
前記伝達機構７は、前記駆動軸３の上方に配置されたロッカアーム１３と、該ロッカアーム１３の一端部１３ａと駆動カム５とを連係するリンクアーム１４と、ロッカアーム１３の他端部１３ｂと一方の揺動カム１０とを連係するリンクロッド１５とを備えている。
【００１８】
前記ロッカアーム１３は、中央の筒状基部１３ｃの内部に支持孔１３ｄが横方向から貫通形成され、この支持孔１３ｄを介して後述する制御カム２０の外周に揺動自在に支持されている。また、ロッカアーム１３の一端部１３ａは、先端部の側部にピン１６が一体に突設されている一方、他端部１３ｂには、先端側に前記リンクロッド１５との関連で吸気弁２，２のバルブリフト量を調整するリフト調整機構２１が設けられている。
【００１９】
前記リンクアーム１４は、大径な円環部１４ａと、該円環部の外周面所定位置に突設された突出端１４ｂとを備え、円環部１４ａの中央位置には、前記駆動カム５の外周面５ｃが回転自在に嵌合する嵌合孔１４ｃが形成されている一方、突出端１４ｂには、前記ピン１６が回転自在に挿通するピン孔が貫通形成されている。
【００２０】
前記リンクロッド１５は、プレス成形によって横断面ほぼコ字形状に形成されており、内側がコンパクト化を図るためにほぼく字形状に折曲形成されていると共に、平行な２枚板状、つまり横断面ほぼコ字形状に形成された二股状の両端部１５ａ，１５ｂにピン孔がそれぞれ横方向に貫通形成されている。
【００２１】
また、リンクロッド１５は、一端部１５ａが前記両ピン孔に挿通した連結ピン１７と前記リフト調整機構２１を介してロッカアーム１３の他端部１３ｂに回転自在に連結されている。一方、他端部１５ｂは、前記各ピン孔と揺動カム１０のカムノーズ部に形成されたピン孔にそれぞれ挿通された連結ピン１８を介して揺動カム１０に回転自在に連結している。
【００２２】
前記リフト調整機構２１は、ロッカアーム１３の他端部１３ｂに一体に有する矩形ブロック状の連係部２２と、該連係部１７の上面から内部に形成された固定用雌ねじに上方から螺着した固定ねじ部材２３と、連係部２２の両側面から前記雌ねじ孔に直交する方向へ貫通形成されて、前記連結ピン１７が挿通されるピン挿通孔と、前記連係部２２の下端内部に前記雌ねじ孔と同軸上に形成された調整用雌ねじ孔に下方側から螺入する調整ねじ部材２４とから構成されている。
【００２３】
前記制御機構８は、図１に示すように、駆動軸３の上方位置に配置された制御軸１９と、該制御軸１９の外周に一体に固定されてロッカアーム１３の揺動支点となる制御カム２０と、前記制御軸１９を回転制御するアクチュエータとを備えている。
【００２４】
前記制御軸１９は、図１及び図２に示すように、駆動軸３と並行に機関前後方向に配設され、図外の軸受を介して回転自在に支持されていると共に、内部軸心方向にメインオイルギャラリーと連通する潤滑油通路２５が形成されている。また、制御軸１９の前記軸受に支持されるジャーナル部となる位置に、前記潤滑油通路２５と径方向から連通する通路孔１９ａが形成されている。
【００２５】
一方、前記制御カム２０は、円筒状を呈し、軸心位置が肉厚部の分だけ制御軸１９の軸心から所定分だけ偏倚している。
【００２６】
また、前記制御軸１９と制御カム２０の内部径方向には、前記潤滑油通路２５と連通する連通路２６が形成されている一方、前記ロッカアーム１３の他端部１３ｂの内部には、前記連通路２６と適宜連通する油孔１３ｅが貫通形成されている。
【００２７】
前記アクチュエータは、シリンダヘッドの後端部に固定された電動モータ２７と、該電動モータ２７の回転駆動力を前記制御軸１９に伝達する螺子伝達手段２８とから構成されている。
【００２８】
前記電動モ−タ２７は、比例型のＤＣモータによって構成され、機関の運転状態を検出するコントローラ２９からの制御信号によって駆動するようになっている。このコントローラ２９は、機関回転数を検出するクランク角センサや、吸入空気量を検出するエアーフローメータ、機関の水温を検出する水温センサ及び制御軸１９の回転位置を検出するポテンショメータ３０等の各種のセンサからの検出信号をフィードバックして現在の機関運転状態を演算などにより検出して、前記電動モータ２７に制御信号を出力している。
【００２９】
次に、前記カム部材４の成形工程を、図４Ａ〜Ｄに示す工程図によって説明する。
【００３０】
すなわち、まず、図４Ａに示すように、鋳造によってカム部材４の基本的な形状を加工する(鋳造工程)。
【００３１】
次に、図４Ｂに示すように、カム部材４全体の、切削、研削加工などの複数の機械加工を行う。すなわち、前記揺動軸９の内部軸方向にドリルによる孔加工などによって所定内径の前記支持孔９ａを精度良く形成すると共に、外周のジャーナル部９ｂとなる部位の表面を、研削加工を行って面粗度の高い表面を得る。なお、前記ジャーナル部９ｂに、径方向に沿って油孔９ｃを孔明け加工する。また、各揺動カム１０，１０の外面を切削及び研削によって外形加工を行うと共に、各揺動カム１０，１０のカム面１０ａ、１０ａの表面を砥石研削によって面精度を高める。(切削、研削工程)。
【００３２】
次に、カム部材４の外面や内周面に通常の脱脂処理を行った後、図４Ｃに示すように、浴槽３２内に貯留されているリン酸マンガン液３３に、前記カム部材４を投入して浸漬し、そのまま約十数分間程度放置する(表面処理工程)。これによって、図４Ｄに示すように、支持孔９ａやジャーナル部９ｂ、カム面１０ａなどの各摺動部を含むカム部材４全体に十分な膜厚のリン酸マンガン皮膜３４が施される。
【００３３】
また、前記皮膜３４の膜厚は、薬液濃度と温度を管理することにより、自由に設定することができるが、本実施の形態では、その膜厚が１μｍ〜５μｍの範囲内の厚さに設定されている。
【００３４】
さらに、前記各種の加工処理が終了した後に、前記カム部材４を前記駆動軸３に嵌挿させ、さらに各軸受部３１に支持させて、各構成部品の組み付けが完了した時点において、前記駆動軸３の外周面と揺動軸９の支持孔９ａの内周面との間のクリアランスは２５μｍ〜６５μｍの範囲内に設定されている。
【００３５】
これらの膜厚やクリアランスの特定は、後述するように、摺動改善及び音振効果を図るためである。
【００３６】
なお、前記皮膜３４を形成したことによって、前記駆動軸３や軸受部３１よりも耐摩耗性が向上している。また、前記揺動軸９のジャーナル部９ｂの外周面と前記軸受部３１の内周面との間のクリアランスは、６５μｍ以上に設定されている。
【００３７】
以下、前記可変機構による吸気弁２，２のバルブリフト量及び作動角の可変制御を簡単に説明する。
【００３８】
まず、例えば、機関の低回転域では、コントローラ２９によって電動モータ２７が回転駆動し、この回転トルクが螺子伝達手段２８に伝達されて回転すると、これによって制御軸１９は、一方向へ所定量回転駆動される。したがって、制御カム２０が、図５Ａ、Ｂに示すように、一方向に回動して軸心Ｐ１が制御軸１９の軸心Ｐの回りを同一半径で回転し、肉厚部が駆動軸３から上方向に離間移動する。これにより、ロッカアーム１３の他端部１３ｂとリンクロッド１５の枢支点（連結ピン１７）は、駆動軸３に対して上方向へ移動し、このため、各揺動カム１０は、リンクロッド１５を介してカムノーズ部側が強制的に引き上げられる。
【００３９】
よって、駆動カム５が回転してリンクアーム１４を介してロッカアーム１３の一端部１３ａを押し上げると、そのリフト量がリンクロッド１５を介して各揺動カム１０及び各バルブリフター６に伝達されるが、吸気弁２，２のバルブリフト量Ｌ１は最小になる。
【００４０】
さらに、機関高回転領域に移行した場合は、コントローラ２９によって電動モータ２７が逆回転して螺子伝達手段２８を同方向へ回転させると、この回転に伴って制御軸１９が、図６Ａ、Ｂに示すように、制御カム２０を他方向へ回転させて軸心Ｐ１が下方向へ移動する。このため、ロッカアーム１３は、今度は全体が駆動軸３方向に移動して他端部１３ｂによって揺動カム１０のカムノーズ部を、リンクロッド１５を介して下方へ押圧して該揺動カム１０全体を所定量だけ反時計方向へ回動させる。したがって、各揺動カム１０の各バルブリフター６の上面に対するカム面７ａの当接位置が、カムノーズ部側（リフト部側）に移動する。
【００４１】
このため、吸気弁２の開作動時に駆動カム５が回転してロッカアーム１３の一端部１３ａを、リンクアーム１４を介して押し上げると、バルブリフター６を介して吸気弁２，２のバルブリフト量Ｌ２が最大になる。
【００４２】
そして、この実施形態では、前述のように、カム部材４の外周面全体に膜厚の大きな皮膜３４が形成されていることから、前述した機関の作動中に、前記駆動軸３の外周面がカム部材４の支持孔９ａの内周面に回転摺動し、またカム部材４のジャーナル部９ｂの外周面が回動して軸受部３１の内周面に摺動している際に、これらの各摺動部間に馴染み性が向上する。この結果、かかる馴染み性によってカム部材４の支持孔９ａの内周面と駆動軸３の外周面、ジャーナル部９ｂの外周面と軸受部３１の内周面などの各摺動部の摩耗量を十分に低減させることが可能になる。
【００４３】
しかも、この実施の形態では、カム部材４の他に、駆動軸３の外周面や軸受部３１の内周面にも表面処理を行うのではなく、単に駆動軸３と軸受部３１の中間位置にあるカム部材４に対してのみ表面処理を施したため、処理コストの低減化と加工作業の容易性が図れる。つまり、３つ全部の部品に表面処理を施こすと、処理コストの高騰が余儀なくされるが、一部品のみの表面処理であることから、大幅な処理コストの低減と処理作業能率の向上が図れるのである。
【００４４】
また、前述したように、カム部材４表面皮膜３４の膜厚を１μｍ〜５μｍの範囲内の厚さに設定したことから、前記各摺動部で、たとえ油膜切れが発生したとしても固体潤滑性が向上して、各摺動部での摩耗量を大幅に低減させることが可能になった。つまり、図７はカム部材４に前記表面処理を施した場合と施さない場合に、駆動軸３の外周面の摩耗量を比較した実験例を示し、この比較特性からも明らかなように、表面処理を施した方(右側)が施さない場合(左)よりも約１／３程度の摩耗量に低減できることが明らかである。
【００４５】
さらに、前記皮膜３４の膜厚を、１μｍ〜５μｍの範囲内に設定した上で、前記駆動軸３の外周面と揺動軸９の支持孔９ａの内周面との間のクリアランスを２５μｍ〜６５μｍの範囲内に設定したことから、前記一方の揺動カム１０に作用するリンクロッド１５による引き上げ、引き下げ作用に伴う揺動軸９の駆動軸３上での倒れなどによるフリクションや振動を効果的に抑制することが可能になった。この作用効果は、図８に示す実験例によって明らかである。
【００４６】
すなわち、図７に示すように、前記クリアランスを漸次小さく設定すると、約２２〜２０μｍ程度から揺動軸９が傾いた際の駆動軸３の外周面との間のフリクションが急激に大きくなってしまうのに対して、２５μｍ以上に設定すると、フリクションがほぼ一定の割合で十分に小さくなることが明らかになった。
【００４７】
一方、前記クリアランスを漸次大きくなるように設定すると、今度は大きなクリアランスに起因して次第に打音と振動(音振)が大きくなって、６５μｍを過ぎて７０μｍ位から前記音振が急激に大きくなるのに対して、６５μｍ以下に設定すると音振がほぼ一定の割合で十分に小さくなることが明らかになった。
【００４８】
したがって、本実施形態では、前記クリアランスを２５μｍ〜６５μｍの範囲内の大きさに設定したのである。これによって、作動中に前記カム部材４(揺動軸９)の傾きがあってもフリクションを十分に低減させることができると共に、音振も十分に抑制することができる。
【００４９】
また、前記可変機構の作動中に駆動軸３の油通路３ａ内を通流した潤滑油は、その一部が駆動軸３の図外の径方向孔から駆動軸３の外周面と前記揺動軸９の支持孔９ａの内周面との間に流入すると共に、他の一部が揺動軸９の油孔９ｃを通ってジャーナル部９ｂの外周面と軸受部３１の内周面との間に流入して、これらの間が強制的に潤滑される。したがって、かかる潤滑油の油膜と前記皮膜３４とによって各摺動部の摩耗を効果的に防止することができると共に、音振の抑制効果も向上させることができる。
【００５０】
さらに、前記可変機構の作動中には、前記制御軸１９の潤滑油通路２５内に流入した潤滑油の一部は、通路孔１９ａを通って前記ジャーナル部と軸受ブラケットとの間を潤滑することから、制御軸１９を常時円滑に回転作動させることが可能になる。
【００５１】
また、ロッカアーム１３の所定の揺動位置において連通路２６の他端開口と前記油孔１３ｅの一端開口が合致して連通すると、前記連通路２６から油孔１３ｅ内を通って他端開口から吐出され、ここから連係部２２の上面を伝って前固定用ねじ部材２３付近を中心に左右に分かれて連係部２２の両側面を伝って前記連結ピン１７の外周面と各ピン孔の内周面との間に流れ込んで、該両者間を効果的かつ積極的に潤滑する。
【００５２】
さらに、ここから潤滑油は、リンクロッド１５の内面を伝って流下し、他端部１５ｂ付近まで来ると、下側の連結ピン１８とピン孔及び揺動カム１０側のピン孔の各内周面との間に供給されて、該両者間を効果的に潤滑する。
【００５３】
したがって、前記両連結ピン１７，１８及び各ピン孔に対して強制的な潤滑によってリンクロッド１５や揺動カム１０の常時円滑な作動が得られる。
【００５４】
また、前記連通路２６に流入した潤滑油は、制御カム２０の外周面と支持孔１３ｄとの間にも強制的に供給されるため、該制御カム２０とロッカアーム１３との間も、効果的に潤滑される。
【００５５】
本発明は、前記実施形態の構成に限定されるものではなく、カム部材４としては、前述の揺動カムに限定されるものではなく、一般的な卵形のカムに適用することも可能である。例えば、可変機構を他の構造としてもよい。また、前記動弁装置を吸気弁側の他に排気弁側に適用することも可能である。
【００５６】
また、前記皮膜３４は、リン酸マンガン液以外の他の表面処理方法によって施すことも可能である。
【図面の簡単な説明】
【００５７】
【図１】本発明のカム部材が適用される動弁装置の可変機構の要部斜視図である。
【図２】同動弁装置の側面図である。
【図３】本実施形態に供されるカム部材と軸受部との分解斜視図である。
【図４】Ａ〜Ｄは本実施形態に供されるカム部材の成形工程手順を示す概略図である。
【図５】Ａ、Ｂは本実施形態における可変機構による最小リフト制御時の作用説明図である。
【図６】Ａ、Ｂは本実施形態における可変機構による最大リフト制御時の作用説明図である。
【図７】本実施形態における表面処理を施した場合と施さなかった場合の駆動軸の摩耗量を比較して示す特性図である。
【図８】本実施形態における駆動軸と揺動軸との間のクリアランスに対するフリクションと音振との関係を示す特性図である。
【符号の説明】
【００５８】
２…吸気弁（機関弁）
３…駆動軸
３ａ…油通路
４…カム部材
５…駆動カム
７…伝達機構
８…制御機構
９…揺動軸
９ａ…支持孔
９ｂ…ジャーナル部
９ｃ…油孔
１０…揺動カム
１３…ロッカアーム
１５…リンクロッド
３１…軸受部
３４…皮膜
【図１】
2009047049.tif 000003
【図２】
2009047049.tif 000004
【図３】
2009047049.tif 000005
【図４】
2009047049.tif 000006
【図５】
2009047049.tif 000007
【図６】
2009047049.tif 000008
【図７】
2009047049.tif 000009
【図８】
2009047049.tif 000010